(57)【要約】【課題】セミセルフとフルセルフとの間で動作モードを簡易に切り替えられるようにする。【解決手段】切替手段は、客が買い上げる買上商品の登録のための登録操作を店員が行い、当該買上商品に対する代金支払いのための決済操作を客が行う第１の動作モードと、登録操作から決済操作までを客が行う第２の動作モードとを切り替える。店員記憶部は、登録操作を行う店員を識別する店員識別情報を記憶する。第１の更新手段は、切替手段により第１の動作モードから第２の動作モードへの切り替えが指示された場合、店員記憶部に記憶されている店員識別情報を特定の情報に更新する。第２の更新手段は、切替手段により第２の動作モードから第１の動作モードへの切り替えが指示された場合、店員識別情報の入力を待ち受け、入力手段を介して店員識別情報が入力されると、店員記憶部に記憶されている特定の情報を入力された店員識別情報に更新する。【選択図】      図６
2020017160.tif 000002
【特許請求の範囲】
【請求項１】
客が買い上げる買上商品の登録のための登録操作を店員が行い、当該買上商品に対する代金支払いのための決済操作を前記客が行う第１の動作モードと、前記登録操作から前記決済操作までを前記客が行う第２の動作モードとを切り替える切替手段と、
前記登録操作を行う店員を識別する店員識別情報を記憶する店員記憶部と、
前記切替手段により前記第１の動作モードから前記第２の動作モードへの切り替えが指示された場合、前記店員記憶部に記憶されている店員識別情報を特定の情報に更新する第１の更新手段と、
前記切替手段により前記第２の動作モードから前記第１の動作モードへの切り替えが指示された場合、前記店員識別情報の入力を待ち受け、入力手段を介して前記店員識別情報が入力されると、前記店員記憶部に記憶されている前記特定の情報を前記入力された店員識別情報に更新する第２の更新手段と、
を具備する登録決済装置。
【請求項２】
前記店員記憶部に記憶されている情報に応じた名称をレシートに印字する印字手段、
をさらに具備し、
前記印字手段は、前記店員記憶部に記憶されている情報が前記特定の情報であるときには、所定の名称を前記レシートに印字する、請求項１記載の登録決済装置。
【請求項３】
前記切替手段により前記第１の動作モードから前記第２の動作モードへの切り替えが指示された場合には、操作しない時間が一定時間を経過すると自動的にサインオフする自動責任者解除機能を無効にし、前記切替手段により前記第２の動作モードから前記第１の動作モードへの切り替えが指示された場合には、前記自動責任者解除機能を有効にする制御手段、
をさらに具備する請求項１記載の登録決済装置。
【請求項４】
前記第１の動作モードで動作しているときには、前記決済操作の前に前記客の客層を識別する客層情報の入力を待ち受け、入力された客層情報を客層記憶部に記憶し、前記第２の動作モードで動作しているときには、予め設定された特定の客層情報を前記客層記憶部に記憶する客層記憶手段、
をさらに具備する請求項１記載の登録決済装置。
【請求項５】
登録決済装置を制御するコンピュータを、
客が買い上げる買上商品の登録のための登録操作を店員が行い、当該買上商品に対する代金支払いのための決済操作を前記客が行う第１の動作モードと、前記登録操作から前記決済操作までを前記客が行う第２の動作モードとを切り替える切替手段と、
前記切替手段により前記第１の動作モードから前記第２の動作モードへの切り替えが指示された場合、前記登録操作を行う店員を識別する店員識別情報を記憶する店員記憶部に記憶されている店員識別情報を特定の情報に更新する第１の更新手段と、
前記切替手段により前記第２の動作モードから前記第１の動作モードへの切り替えが指示された場合、前記店員識別情報の入力を待ち受け、入力手段を介して前記店員識別情報が入力されると、前記店員記憶部に記憶されている前記特定の情報を前記入力された店員識別情報に更新する第２の更新手段と、
して機能させるための情報処理プログラム。
【発明の詳細な説明】
【技術分野】
【０００１】
本発明の実施形態は、登録決済装置及び情報処理プログラムに関する。
【背景技術】
【０００２】
近年、ＰＯＳ（Point Of Sales）端末等に代表される登録決済装置においては、客自身が操作に介入するようにしたセルフタイプの機種が増えている。セルフタイプには、店員が買い上げる買上商品の登録のための登録操作を店員が行い、客は、当該買上商品に対する代金支払いのための決済操作を行うようにしたいわゆるセミセルフと、登録操作から決済操作までを客自身が行うようにしたいわゆるフルセルフとがある。現状では、セミセルフとして動作する登録決済装置とフルセルフとして動作する登録決済装置とがそれぞれ稼働している。
【０００３】
その一方で、１台でセミセルフとしてもフルセルフとしても動作するようにした登録決済装置が提案されている。しかし、セミセルフとして動作する場合には、店員の誰が買上商品の登録操作を行ったのかを明確にする必要がある。このため、事前に登録決済装置に店員の識別情報が入力されている必要がある。ところが、フルセルフとして動作する場合には、操作者が客であるため、店員の識別情報は不要となる。そこで、セミセルフからフルセルフに動作モードを切り替える際には、セミセルフの際に入力されていた店員の識別情報を無効にする必要がある。逆に、フルセルフからセミセルフに動作モードを切り替える際には、店員の識別情報を入力することが必須となる。
【０００４】
このように、セミセルフとフルセルフとの間で動作モードを切り替える場合には、一方の動作モードで制限されている事項を解除したり、新たに制限する事項を加えたりする場合がある。この点を考慮しなければ、セミセルフとフルセルフとの間で動作モードを簡易に切り替えることはできない。
【先行技術文献】
【特許文献】
【０００５】
【特許文献１】特開２０１８−１０９９３２号公報
【発明の概要】
【発明が解決しようとする課題】
【０００６】
本発明の実施形態が解決しようとする課題は、セミセルフとフルセルフとの間で動作モードを簡易に切り替えることができる登録決済装置を提供しようとするものである。
【課題を解決するための手段】
【０００７】
一実施形態において、登録決済装置は、切替手段と、店員記憶部と、第１の更新手段と、第２の更新手段と、を備える。切替手段は、客が買い上げる買上商品の登録のための登録操作を店員が行い、当該買上商品に対する代金支払いのための決済操作を客が行う第１の動作モードと、登録操作から決済操作までを客が行う第２の動作モードとを切り替える。店員記憶部は、登録操作を行う店員を識別する店員識別情報を記憶する。第１の更新手段は、切替手段により第１の動作モードから第２の動作モードへの切り替えが指示された場合、店員記憶部に記憶されている店員識別情報を特定の情報に更新する。第２の更新手段は、切替手段により第２の動作モードから第１の動作モードへの切り替えが指示された場合、店員識別情報の入力を待ち受け、入力手段を介して店員識別情報が入力されると、店員記憶部に記憶されている特定の情報を入力された店員識別情報に更新する。
【図面の簡単な説明】
【０００８】
【図１】登録決済装置の一実施形態であるＰＯＳ端末を含むＰＯＳシステムの全体構成図。
【図２】図１に示すＰＯＳ端末の外観構成を概略的に示す斜視図。
【図３】図１に示すＰＯＳ端末の要部回路構成を示すブロック図。
【図４】図３に示すプロセッサが、情報処理プログラムに従って実行する主要な処理手順を示す流れ図。
【図５】図３に示すプロセッサが、情報処理プログラムに従って実行する主要な処理手順を示す流れ図。
【図６】図３に示すプロセッサが、情報処理プログラムに従って実行する主要な処理手順を示す流れ図。
【図７】図３に示すプロセッサが、情報処理プログラムに従って実行する主要な処理手順を示す流れ図。
【図８】図３に示すプロセッサが、情報処理プログラムに従って実行する主要な処理手順を示す流れ図。
【図９】図３に示すプロセッサが、情報処理プログラムに従って実行する主要な処理手順を示す流れ図。
【図１０】キーボード画面の一例を示す模式図。
【図１１】セミセルフからフルセルフへの切替確認画面の一例を示す模式図。
【図１２】切替画面の一例を示す模式図。
【図１３】レシートの一例を示す模式図。
【図１４】フルセルフからセミセルフへの切替確認画面の一例を示す模式図。
【図１５】指示画面の一例を示す模式図。
【図１６】エラー画面の一例を示す模式図。
【発明を実施するための形態】
【０００９】
以下、セミセルフとフルセルフとの間で動作モードを簡易に切り替えることができる登録決済装置の実施形態について、図面を用いて説明する。  
なおこの実施形態は、コンビニエンスストア向けのＰＯＳシステムのＰＯＳ端末を登録決済装置の一例とした場合である。
【００１０】
図１は、ＰＯＳシステムの全体構成図である。ＰＯＳシステムは、複数台のＰＯＳ端末１００と店舗サーバ２００とを、通信ネットワーク３００で接続して構成されている。通信ネットワーク３００は、無線であってもよいし有線であってもよい。通信ネットワーク３００としては、典型的にはＬＡＮ（local area network）が用いられる。通信ネットワーク３００としては、ＬＡＮの他に、インターネット、ＶＰＮ（virtual private network）、公衆通信網、移動体通信網などを、単独または適宜に組み合わせて用いることも可能である。
【００１１】
各ＰＯＳ端末１００は、売場スペースＳＰ１と店員のワークスペースＳＰ２とを隔てるために店舗内に設けられた会計カウンタ４００に設置されている。図１では、３台のＰＯＳ端末１００が会計カウンタ４００に設置された状態を示している。図示するように各ＰＯＳ端末１００は、会計カウンタ４００の長手方向に沿って、所定の間隔をあけて並べて設置されている。各ＰＯＳ端末１００は、会計カウンタ４００を挟んでワークスペースＳＰ２の側に位置する店員と、売場スペースＳＰ１の側に位置する客とによって操作される。
【００１２】
各ＰＯＳ端末１００は、客が買い上げる買上商品の販売データを登録し、その登録された販売データを基に客が支払う代金を算出する機能と、代金の支払いを受けて客との商取引を決済する機能とを有する。このような機能は、周知のＰＯＳ端末が有する周知の機能であるので、詳細な説明は省略する。
【００１３】
店舗サーバ２００は、店舗のバックヤードに設置されている。店舗サーバ２００は、バックヤード以外のスペースに設置されていてもよい。店舗サーバ２００は、通信ネットワーク３００を介して各ＰＯＳ端末１００で登録された各商品の販売データを収集する機能、収集した販売データを基に例えば商品別、時間帯別、客層別あるいは責任者別に買上商品の売上データを集計する機能等を有する。このような機能は、周知の店舗サーバが有する周知の機能であるので、詳細な説明は省略する。
【００１４】
なお、客層とは、性別と年代とで客の層を区分したものである。例えば男性２０歳未満、男性２０代〜３０代、男性４０代〜５０代、男性６０歳以上、女性２０歳未満、女性２０代〜３０代、女性４０代〜５０代、女性６０歳以上というように客層が区分される。ＰＯＳ端末１００には、客層指示手段が設けられている。店員は、買上商品の決済に来た客を見て客層を判断し、客層指示手段を操作して、該当する客層を指示する。ＰＯＳ端末１００では、買上商品の登録が終わる前に客層が指示されることにより、その買上商品の販売データが客層情報とともにＰＯＳ端末１００から店舗サーバ２００へと送信される。そして店舗サーバ２００では、客層別に売上データが集計される。
【００１５】
責任者とは、買上商品の登録作業を行うためにＰＯＳ端末１００に対してサインオンした店員のことである。店員がサインオンすることにより、ＰＯＳ端末１００には、その店員の従業員番号が責任者番号として登録される。従業員番号は、店員を識別する店員識別情報の一例である。買上商品の販売データは、責任者番号とともにＰＯＳ端末１００から店舗サーバ２００へと送信される。そして店舗サーバ２００では、責任者番号別に売上データが集計される。また、ＰＯＳ端末１００から発行されるレシートには、責任者として登録された店員の氏名が印字される。
【００１６】
次に、ＰＯＳ端末１００のハードウェア構成について、図２の外観斜視図及び図３の要部回路構成を示すブロック図を用いて説明する。ＰＯＳ端末１００は、図２において右奥側がワークスペースＳＰ２の方に向くように会計カウンタ４００に設置される。換言すれば、ＰＯＳ端末１００は、図２における左手前側が売場スペースＳＰ１の方に向くように会計カウンタ４００に設置される。すなわち、図２においては右奥側が店員側となり、左手前側が客側となる。そこで以下においては、図２における右奥側を店員側、左手前側を客側とそれぞれ称することとする。
【００１７】
ＰＯＳ端末１００は、客側タッチパネル１、固定スキャナ２、自動釣銭機２０、クレジットカードリーダ５、近接通信ユニット６、プリペイドカードリーダ／ライタ（プリペイドカードＲ／Ｗ）７、レシートプリンタ８、店員側タッチパネル９、サブタッチパネル１０、キーボード１１及びハンディスキャナ１２を備える。
【００１８】
客側タッチパネル１は、図２に示すように客側に向けて設けられている。客側タッチパネル１は、客に対する情報提示のための画面を表示する。また客側タッチパネル１は、客による画面へのタッチ操作による指示を入力する。客側タッチパネル１は、第２の表示デバイスの一例である。
【００１９】
固定スキャナ２は、客側に向けられた読取窓２ａを有する。固定スキャナ２は、読取窓２ａの前に翳された商品を撮像した上で、当該商品に形成されたバーコードが表すバーコード情報を画像処理によって認識する。そして固定スキャナ２は、認識したバーコード情報を後述するプロセッサ１４へと出力する。なお、固定スキャナ２は、レーザ光の反射を利用して光学的にバーコードを読み取るような他のタイプの周知のデバイスを利用することもできる。また固定スキャナ２は、商品を撮像して得た商品自体の画像からオブジェクト認識技術を利用して商品を特定する機能を備えるタイプの周知のデバイスを利用することもできる。
【００２０】
自動釣銭機２０は、硬貨ユニット３と紙幣ユニット４とを含む。  
硬貨ユニット３は、硬貨投入口３ａ、硬貨排出口３ｂ及び硬貨トレイ３ｃを備える。硬貨投入口３ａは、客側から硬貨を投入することが可能なように形成されている。硬貨ユニット３は、硬貨投入口３ａから投入された硬貨を、その金額を計数しつつ、内部の収納庫に収容する。硬貨ユニット３は、収納庫に収容している硬貨を硬貨排出口３ｂを介して硬貨トレイ３ｃへと排出する。硬貨トレイ３ｃは、客側から硬貨を取り出すことが可能なように形成されている。
【００２１】
紙幣ユニット４は、紙幣投入口４ａ及び紙幣排出口４ｂを備える。紙幣投入口４ａは、客側から紙幣を投入することが可能なように形成されている。紙幣ユニット４は、紙幣投入口４ａから投入された紙幣を、その金額を計数しつつ、内部の収納庫に収容する。紙幣ユニット４は、収納庫に収容している紙幣を紙幣排出口４ｂから排出する。紙幣排出口４ｂは、排出された紙幣を、その一部を外部に露出させた状態で保持する。紙幣排出口４ｂは、上記のように保持している紙幣を客側から取り出すことが可能なように形成されている。
【００２２】
クレジットカードリーダ５は、スリット５ａに沿ってスライドされるクレジットカードからカード情報を読み取る。クレジットカードリーダ５は、客側に位置する客がクレジットカードをスライドさせるのに好適なように、スリット５ａを客側に向けて配置されている。
【００２３】
近接通信ユニット６は、客側に通信範囲を形成するように設けられている。近接通信ユニット６は、客側から近接された無線タグとの間で近接無線通信を行い、当該無線タグに記憶されたデータを取得する。また近接通信ユニット６は、上記の近接無線通信により、上記の無線タグに任意の情報を書き込む。
【００２４】
プリペイドカードリーダ／ライタ７は、スロット７ａを備える。プリペイドカードリーダ／ライタ７は、スロット７ａに挿入されたプリペイドカードに磁気記録されたカードデータを読み取る。またプリペイドカードリーダ／ライタ７は、スロット７ａに挿入されたプリペイドカードに対して任意のデータを書き込む。
【００２５】
レシートプリンタ８は、レシート用紙に対してレシート画像をプリントする。レシートプリンタ８は、レシート画像をプリントしたレシート用紙をレシート排出口８ａから外部へと排出する。レシート排出口８ａから排出され、切断されたレシート用紙は、レシートとして客が受け取ることができる。
【００２６】
店員側タッチパネル９は、店員側に向けて設けられている。店員側タッチパネル９は、店員に対する情報提示のための画面を表示する。また店員側タッチパネル９は、店員による画面へのタッチ操作による指示を入力する。店員側タッチパネル９は、第１の表示デバイスの一例である。
【００２７】
サブタッチパネル１０は、店員側に向けて設けられている。サブタッチパネル１０は、店員に対する情報提示のための画面を表示する。またサブタッチパネル１０は、店員による画面へのタッチ操作による指示を入力する。
【００２８】
キーボード１１は、多数のキーを、店員側のワークスペースＳＰ２に位置する店員による操作が簡易なように備える。キーボード１１は、これらのキーの押下による店員の指示を入力する。
【００２９】
ハンディスキャナ１２は、操作者の手に持って用いられ、読み取り口１２ａに対向されたバーコードを光学的に読み取る。ハンディスキャナ１２は、通信ケーブル１３を介してＰＯＳ端末１００と接続されており、操作者は、店員側からだけでなく客側からも操作することができる。
【００３０】
図３に示すように、ＰＯＳ端末１００は、図２にも示される要素に加えて、プロセッサ１４、メイン記憶ユニット１５、補助記憶ユニット１６、ブザー１７、通信ユニット１８及び伝送路１９を含む。そして図２にも示される各要素と、プロセッサ１４、メイン記憶ユニット１５、補助記憶ユニット１６、ブザー１７及び通信ユニット１８とは、伝送路１９に接続されている。
【００３１】
プロセッサ１４、メイン記憶ユニット１５及び補助記憶ユニット１６は、伝送路１９で接続されてＰＯＳ端末１００を制御するための情報処理を実行するコンピュータを構成する。
【００３２】
プロセッサ１４は、上記コンピュータの中枢部分に相当する。プロセッサ１４は、メイン記憶ユニット１５及び補助記憶ユニット１６に記憶されたオペレーティングシステム、ミドルウェア及びアプリケーションプログラムなどの情報処理プログラムに基づいて、ＰＯＳ端末１００の各種の機能を実現するべく、ＰＯＳ端末１００の各部を制御する。
【００３３】
メイン記憶ユニット１５は、上記コンピュータの主記憶部分に相当する。メイン記憶ユニット１５は、不揮発性のメモリ領域と揮発性のメモリ領域とを含む。メイン記憶ユニット１５は、不揮発性のメモリ領域では上記の情報処理プログラムを記憶する。またメイン記憶ユニット１５は、プロセッサ１４が各種の情報処理を実行する上で必要なデータを不揮発性または揮発性のメモリ領域で記憶する場合もある。メイン記憶ユニット１５は、揮発性のメモリ領域を、プロセッサ１４によってデータが適宜書き換えられるワークエリアとして使用する。
【００３４】
補助記憶ユニット１６は、上記コンピュータの補助記憶部分に相当する。補助記憶ユニット１６は、例えばＥＥＰＲＯＭ（electric erasable programmable read-only memory）、ＨＤＤ（hard disk drive）、ＳＳＤ（solid state drive）などである。補助記憶ユニット１６は、プロセッサ１４が各種の情報処理を行う上で使用するデータや、プロセッサ１４での処理によって生成されたデータを保存する。補助記憶ユニット１６は、上記の情報処理プログラムを記憶する場合もある。
【００３５】
通信ユニット１８は、プロセッサ１４が通信ネットワーク３００を介して店舗サーバ２００などの任意の装置と各種データを授受するための通信処理を行う。通信ユニット１８としては、通信ネットワーク３００の通信方式に準じた周知のデバイスを用いることができる。
【００３６】
ブザー１７は、プロセッサ１４から与えられる駆動信号に従い警告音を発するように鳴動する。ブザー１７は、駆動信号の種類に応じて異なる警告音を発するように鳴動する。ブザー１７は、例えば間欠的に警告音を繰り返し発するように鳴動する。ブザー１７は、例えば連続して警告音を発するように鳴動する。
【００３７】
伝送路１９は、アドレスバス、データバス及び制御信号線等を含む。伝送路１９は、接続されている各部の間で授受されるデータ及び信号を伝送する。
【００３８】
ＰＯＳ端末１００の基本ハードウェアとしては、例えば既存の別のＰＯＳ端末のものを用いることができる。このときにＰＯＳ端末１００の譲渡は一般に、後述する情報処理について記述した情報処理プログラムがメイン記憶ユニット１５または補助記憶ユニット１６に記憶された状態にて行われる。しかし、上記の情報処理プログラムがメイン記憶ユニット１５または補助記憶ユニット１６に記憶されない状態のＰＯＳ端末１００のハードウェアと情報処理プログラムとが個別に譲渡されてもよい。そして、メイン記憶ユニット１５または補助記憶ユニット１６に、ＰＯＳ端末１００の管理者などの操作に応じて情報処理プログラムが書き込まれてもよい。情報処理プログラムの譲渡は、磁気ディスク、光磁気ディスク、光ディスク、半導体メモリなどのようなリムーバブルな記録媒体に記録して、あるいはネットワークを介した通信により行うことができる。
【００３９】
かかる構成のＰＯＳ端末１００は、図２に示すように、店員側タッチパネル９、サブタッチパネル１０及びキーボード１１を店員側に向けて設けている。またＰＯＳ端末１００は、客側タッチパネル１、固定スキャナ２の読取窓２ａ、硬貨ユニット３の硬貨投入口３ａと硬貨排出口３ｂ、紙幣ユニット４の紙幣投入口４ａと紙幣排出口４ｂ、クレジットカードリーダ５のスリット５ａ、近接通信ユニット６、プリペイドカードリーダ／ライタ７のスロット７ａ及びレシートプリンタ８のレシート排出口８ａを客側に向けて設けている。ハンディスキャナ１２は、ワークスペースＳＰ２に位置する店員だけでなく売場スペースＳＰ１に位置する客も取り扱いができる位置に置かれている。
【００４０】
そしてＰＯＳ端末１００は、客が買い上げる登録のための登録操作を店員が行い、当該買上商品に対する代金支払いのための決済操作を客が行う、いわゆるセミセルフとしての第１の動作モードと、前記登録操作から前記決済操作までを客が行う、フルセルフとしての第２の動作モードとを有している。以下では、第１の動作モードをセミセルフモードと称し、第２の動作モードをフルセルフモードと称することとする。
【００４１】
ＰＯＳ端末１００の動作モードがセミセルフモードであるとき、会計カウンタ４００を挟んでワークスペースＳＰ２に位置する店員と売場スペースＳＰ１に位置する客とが対峙する。そして店員は、店員側タッチパネル９、サブタッチパネル１０、キーボード１１及びハンディスキャナ１２を用いて、登録操作を行う。客は、客側タッチパネル１、硬貨ユニット３、紙幣ユニット４、クレジットカードリーダ５、近接通信ユニット６及びプリペイドカードリーダ／ライタ７を用いて、決済操作を行う。
【００４２】
ＰＯＳ端末１００の動作モードがフルセルフモードであるときには、売場スペースＳＰ１に位置する客が、客側タッチパネル１、固定スキャナ２、及びハンディスキャナ１２を用いて、自らが買い上げる買上商品の登録操作を行う。さらに客は、客側タッチパネル１、硬貨ユニット３、紙幣ユニット４、クレジットカードリーダ５、近接通信ユニット６及びプリペイドカードリーダ／ライタ７を用いて、決済操作を行う。このとき、会計カウンタ４００を挟んでワークスペースＳＰ２の側に店員が居る必要は無い。
【００４３】
さて、ＰＯＳ端末１００は、セミセルフモードとフルセルフモードとを切り替えるための切替手段を有している。そしてＰＯＳ端末１００は、セミセルフモードが選択されているのかフルセルフモードが選択されているのかを識別するために、モードフラグＭＦをメイン記憶ユニット１５または補助記憶ユニット１６で記憶している。ＰＯＳ端末１００のプロセッサ１４は、モードフラグＭＦが“０”に設定されているときにはセミセルフモードが選択されていると認識し、モードフラグＭＦが“１”に設定されているときにはフルセルフモードが選択されていると認識する。なお、この点に関しては、プロセッサ１４は、モードフラグＭＦが“０”に設定されているときにはフルセルフモードが選択されていると認識し、モードフラグＭＦが“１”に設定されているときにはセミセルフモードが選択されていると認識してもよい。
【００４４】
次に、以上のように構成されたＰＯＳ端末１００の動作について説明する。  
プロセッサ１４は、図示しない電源スイッチの投入等により電源がオンすると、メイン記憶ユニット１５又は補助記憶ユニット１６に記憶された情報処理プログラムに従って、以下に説明する情報処理を行う。
【００４５】
図４乃至図９は、電源がオンしたことに応じて、プロセッサ１４が実行する情報処理の手順を示す流れ図である。この手順は、メイン記憶ユニット１５または補助記憶ユニット１６に記憶される情報処理プログラムにしたがったものである。なお、図４乃至図９に示すとともに以下に説明する情報処理の内容は一例である。同様な結果を得ることが可能であればその情報処理の手順及び内容は特に限定されるものではない。
【００４６】
電源がオンすると、プロセッサ１４は、Ａｃｔ１として前述したモードフラグＭＦを“０”に設定する。そしてプロセッサ１４は、Ａｃｔ２としてサインオンを待ち受ける。ＰＯＳ端末１００を操作して登録操作を行う店員は、登録操作の開始に先立ち、サインオン操作を行う。サインオン操作は、例えば、キーボード１１に配置されている責任者キーを押下し、続いて当該店員のＩＤカードに表記されている店員識別情報、いわゆる従業員番号のバーコードをハンディスキャナ１２で読み取る操作である。なお、サインオン操作はこれに限定されるものではない。周知のＰＯＳ端末で既に適用されているいかなるサインオン操作であってもよい。
【００４７】
プロセッサ１４は、サインオン操作を検知すると、Ａｃｔ２においてＹＥＳと判定し、Ａｃｔ３へと進む。プロセッサ１４は、Ａｃｔ３としてサインオン操作によって入力された従業員番号を責任者番号として責任者メモリに格納する。責任者メモリは、店員記憶部の一例である。責任者メモリは、メイン記憶ユニット１５の揮発性のメモリ領域の一部に形成されている。責任者メモリは、補助記憶ユニット１６に形成されていてもよい。
【００４８】
プロセッサ１４は、Ａｃｔ４として自動責任者解除機能をオン、つまりは有効にする。自動責任者解除機能は、操作しない時間が一定時間経過すると、自動的にサインオフする機能である。自動責任者解除機能が有効になることによって、サインオンのまま放置状態となったＰＯＳ端末１００を、第三者が不正に操作することを未然に防ぐことができる。
【００４９】
Ａｃｔ３及びＡｃｔ４の処理を終えると、プロセッサ１４は、Ａｃｔ５として商品リストをクリアする。商品リストは、買上商品として登録済みの商品のリストを示したデータである。商品リストは、メイン記憶ユニット１５又は補助記憶ユニット１６に記憶される。
【００５０】
プロセッサ１４は、Ａｃｔ６として待機中画面を客側タッチパネル１に表示させる。待機中画面の内容は任意であってよいが、例えば広告を表した画面とすることが想定される。待機中画面は、買上商品の登録のための操作要素を含まない。
【００５１】
プロセッサ１４は、Ａｃｔ７としてホーム画面を店員側タッチパネル９に表示させる。ホーム画面は、買上商品の登録のための操作を店員が行うための基本画面である。このとき、モードフラグＭＦが“１”、すなわち動作モードとしてセミセルフモードが選択されているので、ホーム画面は、セミセルフモードであることを示す画像を表示してもよい。店員は、このホーム画面上にて、あるいはこのホーム画面から遷移可能な別の画面にて、買上商品とする商品を指定するための操作を行うことができる。
【００５２】
プロセッサ１４は、Ａｃｔ８としてキーボード画面をサブタッチパネル１０に表示させる。キーボード画面は、複数のボタンを配列してなるソフトウェアキーボードを表した画面である。
【００５３】
図１０は一例としてのキーボード画面ＳＣ１を示す図である。キーボード画面ＳＣ１は、ボタンＢＵ１及びボタンＢＵ２などの複数のボタンが配列されている。なお、符号は付していないが、ボタンＢＵ１又はボタンＢＵ２と同形状で示されるものも、いずれもボタンである。
【００５４】
これらのキーボード画面ＳＣ１上の各ボタンは、それぞれに機能が予め割り付けられる。切替ボタンＢＵ３は、フルセルフモードへの切替を操作者が指示するための機能が割り当てられている。切替ボタンＢＵ３には、その割り当てられた機能を示すために「セルフ切替」との文字列が表されている。他の各ボタンにも、それぞれに割り当てられた機能を示す文字列が表されるが、その文字列は図１０においては図示を省略している。
【００５５】
プロセッサ１４は、Ａｃｔ９として買上商品として登録する商品の指定がなされたか否かを確認する。そしてプロセッサ１４は、当該の指示がなされていないならばＮＯと判定し、Ａｃｔ１０へと進む。プロセッサ１４は、Ａｃｔ１０として切替ボタンＢＵ３がタッチされたか否かを確認する。そしてプロセッサ１４は、切替ボタンＢＵ３がタッチされたことを確認できないならばＮＯと判定し、Ａｃｔ９へと戻る。かくしてプロセッサ１４は、Ａｃｔ９及びＡｃｔ１０において、商品の指定がなされるか、あるいは切替ボタンＢＵ３がタッチされるのを待ち受ける。
【００５６】
なおプロセッサ１４は、この待ち受け状態及び以降に説明する待ち受け状態においては、他の指示操作が行われたか否かの確認を行ってもよい。そしてプロセッサ１４は、そのような指示操作が行われたことを確認したならば、その操作に応じた処理に移行する。またプロセッサ１４は、この待ち受け状態において、操作しない時間が一定時間経過すると、自動責任者解除機能が有効になっているので、自動的にサインオフする。その場合、プロセッサ１４は、Ａｃｔ２から処理をやり直すこととなる。
【００５７】
客は、買い上げる商品を売場からピックアップし、会計カウンタ４００へと持ち込む。ＰＯＳ端末１００を操作する店員は、売場スペースＳＰ１側に位置した客に対してＰＯＳ端末１００を挟んでワークスペースＳＯ２側に位置する。店員は、客が会計カウンタ４００へと持ち込んだ商品を買上商品として指定するための登録操作を、店員側タッチパネル９、キーボード１１またはハンディスキャナ１２を用いて行う。このときの店員の登録操作は、既存の別のＰＯＳ端末で行われているのと同様であってよい。プロセッサ１４は、商品を買上商品として指定するための登録操作が行われたならばＡｃｔ９においてＹＥＳと判定し、Ａｃｔ１１へと進む。
【００５８】
なお、待機中画面は上述のように買上商品の登録のための操作要素を含まないから、商品を買上商品として指定するための登録操作が客側タッチパネル１で行われることはない。またプロセッサ１４は、固定スキャナ２での認識結果を買上商品の登録に用いない。つまりプロセッサ１４は、店員による操作に応じて決済の対象となる取引の内容を判定するセミセルフモードにおいては、客側タッチパネル１及び固定スキャナ２を無効としている。このように客側タッチパネル１及び固定スキャナ２を無効としていることにより、客の操作によって買上商品としての登録が誤って行われることを防止できる。
【００５９】
プロセッサ１４は、Ａｃｔ１１として上記の操作により指定された商品を含むように商品リストを更新する。なお商品リストは、例えば商品を識別するための商品コードの一覧である。従ってプロセッサ１４は、指定された商品を識別するための商品コードを商品リストに追加する。
【００６０】
プロセッサ１４は、Ａｃｔ１２として概略画面を客側タッチパネル１に表示させる。概略画面は、この時点での商品リストの内容に応じて買上商品の登録についての現況の概略を表した画面である。概略画面は例えば、直前に買上商品として登録された商品の商品名、単価及び数量、登録済みの商品に関して適用される割引額の総額、ならびに登録済みの商品に関しての合計金額などを表す。概略画面は、買上商品の登録のための操作要素を含まない。
【００６１】
プロセッサ１４は、Ａｃｔ１３として詳細画面を店員側タッチパネル９に表示させる。詳細画面は、この時点での商品リストの内容に応じて買上商品の登録についての現況の詳細を表した画面である。詳細画面は例えば、買上商品として登録された商品のそれぞれの商品名、単価及び数量のリスト、登録済みの商品に関して適用される割引額の総額、ならびに登録済みの商品に関しての合計金額などを表す。
【００６２】
プロセッサ１４は、Ａｃｔ１４として買上商品として登録する商品の指定がなされたか否かを確認する。そしてプロセッサ１４は、当該の指示がなされていないならばＮＯと判定し、Ａｃｔ１５へと進む。プロセッサ１４は、Ａｃｔ１５として客層が指示されたか否かを確認する。そしてプロセッサ１４は、客層が指示されたことを確認できないならばＮＯと判定し、Ａｃｔ１４へと戻る。かくしてプロセッサ１４は、Ａｃｔ１４及びＡｃｔ１５において、商品の指定がなされるか、あるいは客層が指示されるのを待ち受ける。
【００６３】
店員は、客が会計カウンタ４００へと複数の商品を持ち込んでいる場合には、２つ目以降の商品を買上商品として指定するための操作を、プロセッサ１４がＡｃｔ１４及びＡｃｔ１５としての待ち受け状態にあるときに行う。プロセッサ１４は、このような操作が行われたならばＡｃｔ１４においてＹＥＳと判定し、Ａｃｔ１１〜Ａｃｔ１３の処理を前述と同様に実行する。これにより、客がレジカウンタへと持ち込んだ複数の商品がそれぞれ商品リストに追加されてゆく。なお、概略画面は上述のように買上商品の登録のための操作要素を含まないから、商品を買上商品として指定するための操作が客側タッチパネル１で行われることはない。またプロセッサ１４は、固定スキャナ２での認識結果を買上商品の登録に用いない。
【００６４】
店員は、客が会計カウンタ４００へと持ち込んだ商品の全てを買上商品として指定し終えたならば、客の性別及び年代を推定し、客層を決定する。そして店員は、客層指示手段としてキーボード１１に配置された客層別の客層キーの中から、決定した客層の客層キーを押下する。このように客層キーは、客の客層を指示するとともに、その客が買い上げる買上商品の登録終了を指示する。なお、客層指示手段は、客層キーの押下に限定されるものではない。例えばサブタッチパネル１０に配列されている複数のボタンにそれぞれ客層の機能が割り付けられており、店員がこれら複数のボタンの中から該当する客層が割り付けられたボタンにタッチすることで、客層が指示されてもよい。
【００６５】
プロセッサ１４は、客層キーの押下により客層が指示されたことを検知すると、Ａｃｔ１５においてＹＥＳと判定し、図５のＡｃｔ２１へと進む。プロセッサ１４は、Ａｃｔ２１として客層メモリに、指示された客層を識別する客層コードを格納する。客層メモリは、客層記憶部の一例である。また、客層コードは、客層情報の一例である。客層メモリは、メイン記憶ユニット１５の揮発性のメモリ領域の一部に形成されている。客層メモリは、補助記憶ユニット１６に形成されていてもよい。
【００６６】
ここにプロセッサ１４を主体とするコンピュータは、Ａｃｔ２１の処理を実行することにより客層記憶手段の前半部を構成する。
【００６７】
プロセッサ１４は、Ａｃｔ２２として選択画面を客側タッチパネル１に表示させる。選択画面は、代金支払い方法を選択するための客による操作を受け付けるための画面である。例えば選択画面は、複数の代金支払い方法がそれぞれ関連付けられた複数のボタンを表す。なお、本実施形態においてＰＯＳ端末１００は、代金支払い方法として、現金、クレジット、電子マネー及びプリペイドを選択的に用いることができることとする。このため選択画面には、現金、クレジット、電子マネー及びプリペイドがそれぞれ関連付けられた４つのボタンを含む。なお、電子マネー及びプリペイドについては、それぞれに属する複数の決済サービスが関連付けられた複数のボタンが含まれていてもよい。あるいはプロセッサ１４は、電子マネー又はプリペイドが関連付けられたボタンがタッチされた場合に、その代金支払い方法に属する複数の決済サービスのそれぞれが関連付けられたボタンを表した下位の選択画面を客側タッチパネル１に表示させてもよい。
【００６８】
プロセッサ１４は、Ａｃｔ２３として代金支払い方法が指定されたか否かを確認する。そしてプロセッサ１４は、代金支払い方法が指定されていないならばＮＯと判定し、Ａｃｔ２４へと進む。プロセッサ１４は、Ａｃｔ２４として買上商品の登録へと戻るように指示されたか否かを確認する。そしてプロセッサ１４は、当該の指示がなされていなければＮＯと判定し、Ａｃｔ２３へと戻る。かくしてプロセッサ１４は、Ａｃｔ２３及びＡｃｔ２４において、代金支払い方法が指定されるか、登録に戻るように指示されるのを待ち受ける。
【００６９】
客は、買上商品を追加したい場合などには、客側タッチパネル１での予め定められた操作により登録に戻るように指示する。当該操作は例えば、選択画面に表された戻るボタンへのタッチである。また店員は、登録が済んでいない買上商品がまだ残っていた場合などには、店員側タッチパネル９又はサブタッチパネル１０での予め定められた操作により登録に戻るように指示する。当該操作は例えば、詳細画面又はキーボード画面に表された戻るボタンへのタッチである。プロセッサ１４は、該当の操作が行われたことに応じてＡｃｔ２４においてＹＥＳと判定し、図４のＡｃｔ１２以降の処理を前述したのと同様にして実行する。
【００７０】
客は、買上商品の代金支払いに進むならば、選択画面における予め定められた操作によって、使用する代金支払い方法を指定する。当該操作は例えば、使用する代金支払い方法に関連付けられたものとして選択画面に表されたボタンへのタッチである。プロセッサ１４は、当該操作が行われたことに応じてＡｃｔ２３においてＹＥＳと判定し、Ａｃｔ２５へと進む。
【００７１】
プロセッサ１４は、Ａｃｔ２５として決済画面を客側タッチパネル１に表示させる。決済画面は、決済すべき金額を表すとともに、決済のための操作方法を案内する画面である。決済画面は、それぞれ複数の決済方法に対応付けられた複数種類が予め定められている。プロセッサ１４は、指定された決済方法に対応付けられた決済画面を客側タッチパネル１に表示させる。そこでプロセッサ１４は、決済画面を表示するに際して、商品リストに登録された買上商品の購買に対する決済金額を決定する。
【００７２】
プロセッサ１４は、Ａｃｔ２６として詳細画面を店員側タッチパネル９に表示させる。詳細画面は、Ａｃｔ１３で表示させた詳細画面と同様な画面であってよい。ただしＡｃｔ２６で表示させる詳細画面は、客による決済が行われていることを表す画面とする。
【００７３】
プロセッサ１４は、Ａｃｔ２７として指定された決済方法に応じた決済デバイスを起動する。プロセッサ１４は例えば、決済方法として現金が指定された場合には、自動釣銭機２０の硬貨ユニット３及び紙幣ユニット４を起動する。プロセッサ１４は例えば、決済方法としてクレジットが指定された場合には、クレジットカードリーダ５を起動する。プロセッサ１４は例えば、決済方法として電子マネーが指定された場合には、近接通信ユニット６を起動する。プロセッサ１４は例えば、決済方法としてプリペイドが指定された場合には、プリペイドカードリーダ／ライタ７を起動する。
【００７４】
プロセッサ１４は、Ａｃｔ２８として指定された決済方法に応じた決済操作が行われるのを待ち受ける。プロセッサ１４は例えば、決済方法として現金が指定された場合には、硬貨ユニット３及び紙幣ユニット４への硬貨及び紙幣の投入がなされた場合に、決済操作が行われたと認識する。プロセッサ１４は例えば、決済方法としてクレジットが指定された場合には、クレジットカードリーダ５のスリット５ａをクレジットカードがスライドされた場合に、決済操作が行われたと認識する。プロセッサ１４は例えば、決済方法として電子マネーが指定された場合には、近接通信ユニット６に電子マネー用の無線タグが近接された場合に、決済操作が行われたと認識する。プロセッサ１４は例えば、決済方法としてプリペイドが指定された場合には、プリペイドカードリーダ／ライタ７のスロット７ａにプリペイドカードが挿入された場合に、決済操作が行われたと認識する。プロセッサ１４は、決済操作が行われたと認識すると、Ａｃｔ２８においてＹＥＳと判定し、Ａｃｔ２９へと進む。
【００７５】
プロセッサ１４は、Ａｃｔ２９として決済処理を行う。プロセッサ１４は具体的には、Ａｃｔ２３において指定された決済方法に対し、Ａｃｔ２８において受け付けた決済操作で入力されたデータを利用して、決済金額を決済するための処理を実行する。そしてこの決済処理において、プロセッサ１４は、商品リストの内容に応じて買上商品の販売データを生成し、責任者メモリに記憶されている責任者番号と客層メモリに記憶されている客層コードとともに、通信ネットワーク３００を介して店舗サーバ２００へと送信する。このような決済処理は周知であるので、ここでの詳細な説明は省略する。
【００７６】
決済処理を終えると、プロセッサ１４は、Ａｃｔ３０として、Ａｃｔ２７において起動した決済デバイスを停止させる。またプロセッサ１４は、Ａｃｔ３１としてレシートプリンタ８を制御して、今回決済した取引の内容及び決済結果を表すレシート画像をレシート用紙にプリントしたレシートを発行する。
【００７７】
このとき、レシートには、取引日時、レジ番号等に加えて、責任者メモリに記憶されている責任者番号に対応した名称、つまりは当該責任者番号で識別される従業員の氏名が責任者欄に印字される。取引日時は、取引が行われた年月日と時刻とを示す。ＰＯＳ端末１００は、図示しないが時計機能を備えており、プロセッサ１４は、この時計機能によって計時されている日時を取引日時としてレシートに印字するように制御する。また、レジ番号は、各ＰＯＳ端末１００を識別するために、ＰＯＳ端末１００毎に割り当てられた固有の番号である。ＰＯＳ端末１００は、例えばメイン記憶ユニット１５又は補助記憶ユニット１６において、予めレジ番号を記憶している。なお、レシートに印字されたデータは、そのまま電子ジャーナルファイルにも記録される。電子ジャーナルファイルは、補助記憶ユニット１６に保存されている。
【００７８】
レシートを発行し終えると、プロセッサ１４は、Ａｃｔ３２として商品リストをクリアする。またプロセッサ１４は、Ａｃｔ３３として終了画面を客側タッチパネル１に表示させる。終了画面は、取引が完了したことを客に通知する画面である。
【００７９】
その後、プロセッサ１４は、図４のＡｃｔ６へと戻る。すなわちプロセッサ１４は、客側タッチパネル１に待機中画面を表示させ、店員側タッチパネル９にホーム画面を表示させ、サブタッチパネル１０にキーボード画面を表示させる。そしてプロセッサ１４は、Ａｃｔ９及びＡｃｔ１０の待ち受け状態となる。
【００８０】
ところで店員は、セミセルフモードで動作しているＰＯＳ端末１００をフルセルフモードへと切り替えることができる。ただし、セミセルフモードからフルセルフモードへの切り替えは、プロセッサ１４が、Ａｃｔ９及びＡｃｔ１０の待ち受け状態にあるときに限られる。すなわち、責任者メモリに責任者番号が格納されている状態、つまりは責任者登録状態であり、且つ、商品リストがクリアされている状態、つまりは商品データ未入力の状態に限られる。
【００８１】
セミセルフモードで動作しているＰＯＳ端末１００をフルセルフモードに切り替える場合、店員は、サブタッチパネル１０に表示されているキーボード画面ＳＣ１に配置された切替ボタンＢＵ３にタッチする。
【００８２】
Ａｃｔ９及びＡｃｔ１０の待ち受け状態にあるプロセッサ１４は、切替ボタンＢＵ３がタッチされたことを検知すると、Ａｃｔ１０においてＹＥＳと判定し、図６のＡｃｔ４１へと進む。プロセッサ１４は、Ａｃｔ４１として店員側タッチパネル９に対して切替確認画面をポップアップ方式で表示させる。
【００８３】
図１１は、一例としての切替確認画面ＳＣ２を示す図である。切替確認画面ＳＣ２には、セミセルフモードからフルセルフモードへと切り替えることを店員に確認するためのメッセージＭ１とともに、「はい」のボタンＢＵ１１と「いいえ」のボタンＢＵ１２とが表示されている。
【００８４】
切替確認画面ＳＣ２を確認した店員は、セミセルフモードからフルセルフモードへと切り替える場合には、「はい」ボタンＢＵ１１にタッチする。また店員は、セミセルフモードからフルセルフモードへと切り替えることを中止する場合には、「いいえ」ボタンＢＵ１２にタッチする。
【００８５】
店員側タッチパネル９に切替確認画面ＳＣ２を表示させたプロセッサ１４は、Ａｃｔ４２としてモード切替の実行が指令されたか否かを確認する。プロセッサ１４は、切替確認画面ＳＣ２の「はい」ボタンＢＵ１１がタッチされた場合には、モード切替の実行が指令されたと判断する。その場合、プロセッサ１４は、Ａｃｔ４２においてＹＥＳと判定し、Ａｃｔ４３へと進む。
【００８６】
プロセッサ１４は、Ａｃｔ４３として切替条件を満足するか否かを判断する。前述したように、責任者登録状態であり、且つ、商品データ未入力の状態であるとき、セミセルフモードからフルセルフモードへのモード切替は許容される。すなわちプロセッサ１４は、責任者メモリにいずれかの店員の従業員番号が格納されていること、及び、商品リストがクリアされていることを確認すると、切替条件を満足すると判断する。
【００８７】
その場合、プロセッサ１４は、Ａｃｔ４３においてＹＥＳと判定し、Ａｃｔ４４へと進む。プロセッサ１４は、Ａｃｔ４４としてセミセルフモードからフルセルフモードへと切り替えたことを示す情報を、責任者メモリに格納されている責任者番号とともに電子ジャーナルファイルに記録する。
【００８８】
プロセッサ１４は、Ａｃｔ４５として責任者メモリのデータを、店員の従業員番号としては使用されていない特定の番号、例えば「９９９」に書き換える。またプロセッサ１４は、Ａｃｔ４６として自動責任者解除機能をオフ、つまりは無効にする。さらにプロセッサ１４は、Ａｃｔ４７としてモードフラグＭＦを“１”にセットする。
【００８９】
ここに、プロセッサ１４を主体とするコンピュータは、切替ボタンＢＵ３と協働してＡｃｔ４１乃至Ａｃｔ４３及びＡｃｔ４７の処理を実行することにより、動作モードをセミセルフモードからフルセルフモードへと切り替える切替手段の前半部を構成する。また、同コンピュータは、Ａｃｔ４５の処理を実行することにより、第１の更新手段を構成する。また、同コンピュータは、Ａｃｔ４６の処理を実行することにより、制御手段の前半部を構成する。
【００９０】
なお、プロセッサ１４は、Ａｃｔ４２において切替確認画面ＳＣ２の「いいえ」ボタンＢＵ１２がタッチされた場合にはＮＯと判定し、図４のＡｃｔ９へと戻る。またプロセッサ１４は、Ａｃｔ４３において切替条件を満足しない場合もＮＯと判定し、図４のＡｃｔ９へと戻る。すなわちプロセッサ１４は、Ａｃｔ９及びＡｃｔ１０の待ち受け状態に戻る。
【００９１】
Ａｃｔ４４乃至Ａｃｔ４７の処理を終えると、プロセッサ１４は、図７のＡｃｔ５１へと進む。なお、Ａｃｔ４４乃至Ａｃｔ４７の処理の手順は上述した手順に限定されるものではない。処理の順序が前後してもよい。
【００９２】
プロセッサ１４は、Ａｃｔ５１として案内画面を客側タッチパネル１に表示させる。案内画面は、買上商品の登録のための登録操作を客が行うべきであることを客に案内するための画面である。案内画面は、買上商品の登録のための登録操作としてどのような操作を行うべきかを表していてもよい。
【００９３】
プロセッサ１４は、Ａｃｔ５２として待機画面を店員側タッチパネル９に表示させる。待機画面の内容は任意であってよいが、少なくともフルセルフモードであることを店員に通知する内容の画像を表示する。待機画面は、買上商品の登録のための操作要素を含まない。
【００９４】
プロセッサ１４は、Ａｃｔ５３として切替画面をサブタッチパネル１０に表示させる。切替画面は、切替ボタンを表した画面である。
【００９５】
図１２は、一例としての切替画面ＳＣ３を示す図である。切替画面ＳＣ３は、切替ボタンＢＵ２１及びボタンＢＵ２２，ＢＵ２３などの複数のボタンが配列されている。なお、符号は付していないが、ボタンＢＵ２３と同形状で示されるものも、いずれもボタンである。
【００９６】
これらの切替画面ＳＣ３上の各ボタンは、それぞれに機能が予め割り付けられる。切替ボタンＢＵ２１は、セミセルフモードへの切替を操作者が指示するための機能が割り当てられている。切替ボタンＢＵ２１には、その割り当てられた機能を示すために「セルフ切替」との文字列が表されている。他の各ボタンにも、それぞれに割り当てられた機能を示す文字列が表されるが、その文字列は図１２においては図示を省略している。切替画面ＳＣ３は、買上商品の登録のための操作要素を含まない。
【００９７】
プロセッサ１４は、Ａｃｔ５４として買上商品として登録する商品の指定がなされたか否かを確認する。そしてプロセッサ１４は、当該の指示がなされていないならばＮＯと判定し、Ａｃｔ５５へと進む。
【００９８】
プロセッサ１４は、Ａｃｔ５５として切替ボタンＢＵ２１がタッチされたか否かを確認する。そしてプロセッサ１４は、切替ボタンＢＵ２１がタッチされたことを確認できないならばＮＯと判定し、Ａｃｔ５４へと戻る。かくしてプロセッサ１４は、Ａｃｔ５４及びＡｃｔ５５において、商品の指定がなされるか、あるいは切替ボタンＢＵ２１がタッチされるのを待ち受ける。
【００９９】
客は、買い上げる商品を売場からピックアップし、会計カウンタ４００へと商品を持ち込んだならば、当該商品を買上商品として指定するための登録操作を、客側タッチパネル１又は固定スキャナ２を用いて行う。このときの客の操作は、既存の別のセルフタイプのＰＯＳ端末で行われているのと同様であってよい。プロセッサ１４は、商品を買上商品として指定するための登録操作が行われたならばＡｃｔ５４においてＹＥＳと判定し、Ａｃｔ５６へと進む。
【０１００】
なお、待機画面は上述のように買上商品の登録のための操作要素を含まないから、商品を買上商品として指定するための登録操作が店員側タッチパネル９で行われることはない。またプロセッサ１４は、キーボード１１が操作されたとしても、これを買上商品の指定として受け付けない。また、切替画面ＳＣ３は上述のように買上商品の登録のための操作要素を含まないから、商品を買上商品として指定するための登録操作がサブタッチパネル１０で行われることはない。つまりプロセッサ１４は、客による操作に応じて決済の対象となる取引の内容を判定するフルセルフモードにおいては、店員側タッチパネル９、サブタッチパネル１０及びキーボード１１を無効としている。そしてこのように店員側タッチパネル９、サブタッチパネル１０及びキーボード１１を無効としていることにより、店員の操作によって買上商品としての登録が誤って行われることを防止できる。
【０１０１】
プロセッサ１４は、Ａｃｔ５６として上記の登録操作により指定された商品を含むように商品リストを更新する。そしてプロセッサ１４は、Ａｃｔ５７として詳細画面を客側タッチパネル１に表示させる。詳細画面は、この時点での商品リストの内容に応じて買上商品の登録についての現況の詳細を表した画面である。詳細画面は例えば、買上商品として登録された商品のそれぞれの商品名、単価及び数量のリスト、登録済みの商品に関して適用される割引額の総額、ならびに登録済みの商品に関しての合計金額などを表す。
【０１０２】
またプロセッサ１４は、Ａｃｔ５８として詳細画面を店員側タッチパネル９に表示させる。ここで店員側タッチパネル９に表示させる詳細画面は、Ａｃｔ１３において表示させるものと同様な情報を表す他、フルセルフモードであることを表す。店員側タッチパネル９に表示させる詳細画面は、買上商品の登録のための操作要素を含まない。
【０１０３】
プロセッサ１４は、Ａｃｔ５９として買上商品として登録する商品の指定がなされたか否かを確認する。そしてプロセッサ１４は、当該の指示がなされていないならばＮＯと判定し、Ａｃｔ６０へと進む。プロセッサ１４は、Ａｃｔ６０として会計が指示されたか否かを確認する。そしてプロセッサ１４は、会計が指示されたことを確認できないならばＮＯと判定し、Ａｃｔ５９へと戻る。かくしてプロセッサ１４は、Ａｃｔ５９及びＡｃｔ６０において、商品の指定がなされるか、あるいは会計が指示されるのを待ち受ける。
【０１０４】
客は、会計カウンタ４００へと複数の商品を持ち込んでいる場合には、２つ目以降の商品を買上商品として指定するための登録操作を、プロセッサ１４がＡｃｔ５４及びＡｃｔ５５としての待ち受け状態にあるときに行う。プロセッサ１４は、このような登録操作が行われたならばＡｃｔ５４においてＹＥＳと判定し、Ａｃｔ５６〜Ａｃｔ５８を前述と同様に実行する。これにより、客が会計カウンタ４００へと持ち込んだ複数の商品がそれぞれ商品リストに追加されてゆく。なお、店員側タッチパネル９に表示させる詳細画面は上述のように買上商品の登録のための操作要素を含まないから、商品を買上商品として指定するための登録操作が店員側タッチパネル９で行われることはない。またプロセッサ１４は、キーボード１１が操作されたとしても、これを買上商品の指定として受け付けない。また、切替画面ＳＣ３は上述のように買上商品の登録のための操作要素を含まないから、商品を買上商品として指定するための登録操作がサブタッチパネル１０で行われることはない。
【０１０５】
客は、会計カウンタ４００へと持ち込んだ商品の全てを買上商品として指定し終えたならば、客側タッチパネル１での予め定められた操作により決済を指示する。当該操作は、例えば客側タッチパネル１に表示された詳細画面に含まれている会計ボタンへのタッチである。プロセッサ１４は、会計ボタンのタッチ操作が行われたことに応じてＡｃｔ６０においてＹＥＳと判定し、Ａｃｔ６１へと進む。
【０１０６】
プロセッサ１４は、Ａｃｔ６１として客層メモリに記憶されている客層コードを、特定の客層コード、例えば「４０代男性」という客層の識別コードに書き換える。特定の客層コードは、店舗サーバ２００において予め設定され、通信ネットワーク３００を介して各ＰＯＳ端末１００にダウンロードされて、メイン記憶ユニット１５又は補助記憶ユニット１６に記憶されている。なお、どの客層の識別コードを特定の客層コードとするかは任意である。例えば、その店舗において最も多い客層の客層コードを特定の客層コードとしてもよい。
【０１０７】
ここに、プロセッサ１４を主体とするコンピュータは、Ａｃｔ６１の処理を実行することにより客層記憶手段の後半部を構成する。
【０１０８】
特定の客層コードを客層メモリに記憶し終えると、プロセッサ１４は、図８のＡｃｔ７１へと進む。プロセッサ１４は、Ａｃｔ７１として選択画面を客側タッチパネル１に表示させる。選択画面は、Ａｃｔ２２において表示させるものと同様な情報を表す。
【０１０９】
プロセッサ１４は、Ａｃｔ７２として代金支払い方法が指定されたか否かを確認する。そしてプロセッサ１４は、代金支払い方法が指定されていないならばＮＯと判定し、Ａｃｔ７３へと進む。プロセッサ１４は、Ａｃｔ７３として買上商品の登録へと戻るように指示されたか否かを確認する。そしてプロセッサ１４は、当該の指示がなされていなければＮＯと判定し、Ａｃｔ７２へと戻る。かくしてプロセッサ１４は、Ａｃｔ７２及びＡｃｔ７３において、代金支払い方法が指定されるか、登録に戻るように指示されるのを待ち受ける。
【０１１０】
客は、買上商品を追加したい場合などには、客側タッチパネル１での予め定められた操作により登録に戻るように指示する。当該操作は例えば、選択画面に表された戻るボタンへのタッチである。プロセッサ１４は、該当の操作が行われたことに応じてＡｃｔ７３においてＹＥＳと判定し、図７のＡｃｔ５７以降の処理を前述したのと同様にして実行する。
【０１１１】
客は、買上商品の代金支払いに進むならば、選択画面における予め定められた操作によって、使用する代金支払い方法を指定する。当該操作は例えば、使用する代金支払い方法に関連付けられたものとして選択画面に表されたボタンへのタッチである。プロセッサ１４は、該当の操作が行われたことに応じてＡｃｔ７２においてＹＥＳと判定し、Ａｃｔ７４へと進む。
【０１１２】
プロセッサ１４は、Ａｃｔ７４として決済画面を客側タッチパネル１に表示させる。決済画面は、決済すべき金額を表すとともに、決済のための操作方法を案内する画面である。決済画面は、Ａｃｔ２５において表示させるものと同様な情報を表す。
【０１１３】
プロセッサ１４は、Ａｃｔ７５として詳細画面を店員側タッチパネル９に表示させる。詳細画面は、Ａｃｔ２６において表示させるものと同様な情報を表す。
【０１１４】
プロセッサ１４は、Ａｃｔ７６として、Ａｃｔ２７と同様に、指定された決済方法に応じた決済デバイスを起動する。そしてプロセッサ１４は、Ａｃｔ７７として、Ａｃｔ２８と同様に、指定された決済方法に応じた決済のための決済操作が行われるのを待ち受ける。
【０１１５】
プロセッサ１４は、決済操作が行われたと判定した場合には、Ａｃｔ７７においてＹＥＳと判定し、Ａｃｔ７８へと進む。プロセッサ１４は、Ａｃｔ７９として、Ａｃｔ２９と同様に決済処理を行う。
【０１１６】
決済処理を終えると、プロセッサ１４は、Ａｃｔ８０として、Ａｃｔ７６において起動した決済デバイスを停止させる。またプロセッサ１４は、Ａｃｔ８０としてレシートプリンタ８を制御して、今回決済した取引の内容及び決済結果を表すレシート画像をレシート用紙にプリントしたレシートを発行する。
【０１１７】
図１３は、一例としてのレシートＲＥ１を示す図である。レシートＲＥ１には、取引日時Ｄ１、レジ番号Ｄ２等に加えて、責任者メモリに記憶されている責任者番号、つまりは特定の番号「９９９」に対応付けてメイン記憶ユニット１５又は補助記憶ユニット１６に記憶されている所定の名称「セルフ」が責任者欄に印字される。名称「セルフ」は、店舗サーバ２００において予め設定され、通信ネットワーク３００を介して各ＰＯＳ端末１００にダウンロードされて、メイン記憶ユニット１５又は補助記憶ユニット１６に記憶されている。なお、所定の名称は、「セルフ」に限定されるものではない。また、名称「セルフ」の代わりに、特定の番号「９９９」がレシートＲＥ１の責任者欄に印字されてもよい。なお、レシートに印字されたデータは、そのまま電子ジャーナルファイルにも記録される。
【０１１８】
ここに、プロセッサ１４を主体とするコンピュータは、レシートプリンタ８と協働してＡｃｔ８０の処理を実行することにより、印字手段を構成する。
【０１１９】
レシートを発行し終えると、プロセッサ１４は、Ａｃｔ８１として商品リストをクリアする。またプロセッサ１４は、Ａｃｔ８２として終了画面を客側タッチパネル１に表示させる。終了画面は、Ａｃｔ３３において表示させるものと同様な情報を表す。
【０１２０】
その後、プロセッサ１４は、図７のＡｃｔ５１へと戻る。すなわちプロセッサ１４は、客側タッチパネル１に案内画面を表示させ、店員側タッチパネル９に待機画面を表示させ、サブタッチパネル１０に切替画面を表示させる。そしてプロセッサ１４は、Ａｃｔ５４及びＡｃｔ５５の待ち受け状態となる。
【０１２１】
ところで店員は、フルセルフモードで動作しているＰＯＳ端末１００をセミセルフモードに切り替えることができる。ただし、フルセルフモードからセミセルフモードへの切り替えは、プロセッサ１４が、Ａｃｔ５４及びＡｃｔ５５の待ち受け状態にあるときに可能である。すなわち、フルセルフモードでの商取引の決済が終了し、客側タッチパネル１に案内画面が表示されている状態である。
【０１２２】
フルセルフモードで動作しているＰＯＳ端末１００をセミセルフモードに切り替える場合、店員は、サブタッチパネル１０に表示されている切替画面ＳＣ３に配置された切替ボタンＢＵ２１にタッチする。
【０１２３】
Ａｃｔ５４及びＡｃｔ５５の待ち受け状態にあるプロセッサ１４は、切替ボタンＢＵ２１がタッチされたことを検知すると、Ａｃｔ５５においてＹＥＳと判定し、図９のＡｃｔ９１へと進む。プロセッサ１４は、Ａｃｔ９１として店員側タッチパネル９に対して切替確認画面をポップアップ方式で表示させる。
【０１２４】
図１４は、一例としての切替確認画面ＳＣ４を示す図である。切替確認画面ＳＣ４には、フルセルフモードからセミセルフモードへと切り替えることを店員に確認するためのメッセージＭ２とともに、「はい」のボタンＢＵ３１と「いいえ」のボタンＢＵ３２とが表示されている。
【０１２５】
切替確認画面ＳＣ４を確認した店員は、フルセルフモードからセミセルフモードへと切り替える場合には、「はい」ボタンＢＵ３１にタッチする。店員は、フルセルフモードからセミセルフモードへと切り替えることを中止する場合には、「いいえ」ボタンＢＵ３２にタッチする。
【０１２６】
店員側タッチパネル９に切替確認画面ＳＣ３を表示させたプロセッサ１４は、Ａｃｔ９２としてモード切替の実行が指令されたか否かを確認する。プロセッサ１４は、切替確認画面ＳＣ４の「はい」ボタンＢＵ３１がタッチされた場合には、モード切替の実行が指令されたと判断する。その場合、プロセッサ１４は、Ａｃｔ９２においてＹＥＳと判定し、Ａｃｔ９３へと進む。
【０１２７】
プロセッサ１４は、Ａｃｔ９３として切替条件を満足するか否かを判断する。前述したように、客側タッチパネル１に案内画面が表示されている状態であるとき、フルセルフモードからセミセルフモードへのモード切替は許容される。すなわちプロセッサ１４は、客側タッチパネル１に案内画面が表示されていることを確認すると、切替条件を満足すると判定する。
【０１２８】
その場合、プロセッサ１４は、Ａｃｔ９３においてＹＥＳと判定し、Ａｃｔ９４へと進む。プロセッサ１４は、Ａｃｔ９４としてフルセルフモードからセミセルフモードへと切り替えたことを示す情報を、責任者メモリに格納されている特定の番号「９９９」とともに電子ジャーナルファイルに記録する。なお、特定の番号「９９９」を電子ジャーナルファイルに記録することは必須ではない。
【０１２９】
プロセッサ１４は、Ａｃｔ９５として責任者番号の入力を店員に指示する指示画面を店員側タッチパネル９に表示させる。
【０１３０】
図１５は、一例としての指示画面ＳＣ５を示す図である。指示画面ＳＣ５には、責任者番号の入力を店員に指示する内容のメッセージＭ３とともに、「ＯＫ」のボタンＢＵ４１が表示されている。指示画面ＳＣ５を確認した店員は、ＯＫボタンＢ４１にタッチし、続いて当該店員のＩＤカードに表記されている従業員番号のバーコードをハンディスキャナ１２で読み取る。
【０１３１】
指示画面ＳＣ４を店員側タッチパネル９に表示させたプロセッサ１４は、Ａｃｔ９６として責任者番号が入力されるのを待ち受ける。この待ち受け状態において、ＯＫボタンＢ４１がタッチされ、続いて従業員番号のバーコードがハンディスキャナ１２で読み取られたことを確認すると、プロセッサ１４は、Ａｃｔ９６においてＹＥＳと判定し、Ａｃｔ９７へと進む。プロセッサ１４は、Ａｃｔ９７としてバーコードを解析して得た従業員番号を責任者番号として責任者メモリに格納する。またプロセッサ１４は、Ａｃｔ９８として自動責任者解除機能をオン、つまりは有効にする。さらにプロセッサ１４は、Ａｃｔ９９としてモードフラグＭＦを“０”にリセットする。
【０１３２】
ここに、プロセッサ１４を主体とするコンピュータは、切替ボタンＢＵ２１と協働してＡｃｔ９１乃至Ａｃｔ９９の処理を実行することにより、動作モードをフルセルフモードからセミセルフモードへと切り替える切替手段の後半部を構成する。また、同コンピュータは、Ａｃｔ９５乃至Ａｃｔ９７の処理を実行することにより、第２の更新手段を構成する。また、同コンピュータは、Ａｃｔ９８の処理を実行することにより、制御手段の後半部を構成する。
【０１３３】
なお、プロセッサ１４は、Ａｃｔ９２において切替確認画面ＳＣ４の「いいえ」ボタンＢＵ３２がタッチされた場合にはＮＯと判定し、図７のＡｃｔ５４へと戻る。またプロセッサ１４は、Ａｃｔ９３において切替条件を満足しない場合もＮＯと判定し、図７のＡｃｔ５４へと戻る。すなわちプロセッサ１４は、Ａｃｔ５４及びＡｃｔ５５の待ち受け状態に戻る。
【０１３４】
Ａｃｔ９７乃至Ａｃｔ９９の処理を終えると、プロセッサ１４は、図４のＡｃｔ６へと進む。そしてプロセッサ１４は、Ａｃｔ６以降の処理、つまりはセミセルフモードとしての処理を前述したのと同様にして実行する。なお、Ａｃｔ９７乃至Ａｃｔ９９の処理の手順は上述した手順に限定されるものではない。処理の順序が前後してもよい。
【０１３５】
このように本実施形態のＰＯＳ端末１００は、セミセルフモードとフルセルフモードとを有している。そして、オペレータである店員は、セミセルフモードからフルセルフモードに切り替える際には、切替ボタンＢＵ３にタッチする。このとき、セミセルフモードからフルセルフモードへの切替条件である責任者登録状態且つ商品データ未入力の状態を満足すると、ＰＯＳ端末１００の動作モードが、セミセルフモードからフルセルフモードに切り替わる。そして、責任者メモリのデータが、店員の従業員番号としては使用されていない特定の番号「９９９」に書き換わる。すなわち、特定の番号「９９９」でサインオンした状態となる。したがって、セミセルフモードのときにサインオンした店員の従業員番号は自動的に無効となる。
【０１３６】
また店員は、フルセルフモードからセミセルフモードに切り替える際には、切替ボタンＢＵ２１にタッチする。このとき、フルセルフモードからセミセルフモードへの切替条件である客側タッチパネル１に案内画面が表示されている状態を満足すると、ＰＯＳ端末１００の動作モードが、フルセルフモードからセミセルフモードに切り替わる。そして、ＰＯＳ端末１００の店員側タッチパネル９に責任者番号の入力を店員に指示する指示画面ＳＣ５が表示される。ここで店員が従業員番号を入力すると、その従業員番号が責任者番号として責任者メモリに登録される。すなわち、当該店員がサインオンした状態となる。したがって、サインオンなしにフルセルフモードからセミセルフモードに切り替わることはない。
【０１３７】
このように、セミセルフとフルセルフとの間で動作モードを切り替える場合には、一方の動作モードで制限されている事項を解除したり、新たに制限する事項を加えたりする場合があるが、ＰＯＳ端末１００は、その点が考慮されている。
【０１３８】
その結果、ＰＯＳ端末１００においては、セミセルフモードでの登録から決済までの情報処理を示すＡｃｔ６乃至Ａｃｔ１５及びＡｃｔ２１乃至Ａｃｔ３３の手順と、フルセルフモードでの登録から決済までの情報処理を示すＡｃｔ５１乃至Ａｃｔ６１及びＡｃｔ７１乃至Ａｃｔ８２の手順とは、ほぼ等しくなる。よって、本実施形態によれば、情報処理プログラムの大幅な改修を行うことなく、セミセルフモードとフルセルフモードとの切替が容易なＰＯＳ端末１００を提供することができる。
【０１３９】
ところで、セミセルフモードの際に発行されるレシートの責任者欄には、責任者メモリに記憶されている責任者番号で識別される店員の氏名が印字される。この点に関してＰＯＳ端末１００においては、フルセルフモードの際に発行されるレシートの責任者欄にも、責任者メモリに記憶されている特定の番号「９９９」に対応した名称「セルフ」を印字するようにしている。したがって、この点からもセミセルフモードとフルセルフモードとの切替に際して情報処理プログラムを大幅に変更する必要はないという作用効果を奏し得る。
【０１４０】
また、セミセルフモードが選択されているときには有効となっている自動責任者解除機能については、フルセルフモードが選択された際にその機能を無効化している。そして再びセミセルフモードが選択された際には、その機能を有効化している。したがって、フルセルフモードの際に、操作しない時間が一定時間経過したために自動的にサインオフすることはない。つまり、フルセルフモードのときに自動責任者解除機能が働いて自動的にサインオフしてしまい、客が操作できなくなる不具合を未然に防止することができる。このため、このような不具合に対処するためのルーチンを情報処理プログラムに追加する必要がないので、やはり情報処理プログラムを大幅に変更する必要はないという作用効果を奏し得る。
【０１４１】
ところで一般にＰＯＳ端末では、買上商品の登録が終わる前に客層が指示されることにより、その買上商品の販売データを客層情報とともに店舗サーバ２００へと送信するようにしている。この点に関し、本実施形態のＰＯＳ端末１００では、セミセルフモードが選択されているときには、客が買い上げる買上商品の登録終了を指示する際にその客の客層を入力するようにしている。これに対して、フルセルフモードにおいては、客が自ら買上商品の登録終了を指示するので、客層を入力させることには抵抗がある。そこで本実施形態では、フルセルフモードにおいて、客が買上商品の登録終了を指示すると、自動的に所定の客層を示す客層コードを客層メモリに記憶させるようにしている。したがって、セミセルフモードのときだけでなくフルセルフモードのときでも客層が入力されるので、やはり、情報処理プログラムを大幅に変更することなく、セミセルフとフルセルフとの切替に容易に対処することができる。
【０１４２】
以上、セミセルフとフルセルフとの間で動作モードを簡易に切り替えることができる登録決済装置の実施形態について説明したが、かかる実施形態はこれに限定されるものではない。
【０１４３】
例えば、セミセルフからフルセルフへの切替条件又はフルセルフからセミセルフへの切替条件は、例示したものに限定はされない。例えば、プロセッサ１４が自動釣銭機２０の状態を確認し、切り離しエラーとなっていないことを切替条件に含ませてもよい。この場合、仮にセミセルフからフルセルフへの切替えの際に自動釣銭機２０が切り離しエラーとなっている場合、プロセッサ１４は、店員側タッチパネル９に、例えば「釣銭機が未接続のためモード切替はできません」と表示して切替ボタンＢＵ３の操作前の状態に戻ればよい。フルセルフからセミセルフへの切替えの際に自動釣銭機２０が切り離しエラーとなっている場合には、プロセッサ１４は、店員側タッチパネル９に、例えば「ドロワ運用中」と表示して切替ボタンＢＵ２１の操作前の状態に戻ればよい。
【０１４４】
前記実施形態では、レシートプリンタ８でレシート用紙にレシート画像を印字する場合を例示したが、その代わりにレシート画像を電子レシートとし、客の情報端末にダウンロードするようにしてもよい。
【０１４５】
前記実施形態では、セミセルフからフルセルフへのモード切替を指示する手段として切替ボタンＢＵ３を例示し、フルセルフからセミセルフへのモード切替を指示する手段として切替ボタンＢＵ２１を例示した。この点に関しては、例えば店舗サーバ２００から通信ネットワーク３００を介してＰＯＳ端末１００宛に配信されるコマンドにより、モード切替えを指示してもよい。この場合において、コマンドの送信元は店舗サーバ２００に限らない。例えば他のＰＯＳ端末１００がコマンドの送信元となってもよい。
【０１４６】
ところで、年齢確認が必要な酒、煙草等の商品、あるいは第一類医薬品または第２類医薬品に属する医薬品は、店員の介在が必要なため、フルセルフモードでは販売することができない。このような商品については、商品マスタテーブルに記憶されている商品データに、フルセルフモードでは販売を禁止することを示すフラグを設定する。そして、フルセルフモードのときのＡｃｔ５４又はＡｃｔ５９の処理において、当該フラグが設定された商品が指定されると、プロセッサ１４は、商品を登録できないことを示すエラー画面を、客側タッチパネル１に表示させる。
【０１４７】
図１６は、一例としてのエラー画面ＳＣ６を示す図である。エラー画面ＳＣ５は、フルセルフでは商品の登録を受け付けることができないため、セミセルフのＰＯＳ端末に移動することを指示するメッセージＭ４とともに、「ＯＫ」のボタンＢＵ５１が表示されている。この場合、エラー画面ＳＣ６を確認した店員は、ＯＫボタンＢ５１にタッチし、セミセルフのＰＯＳ端末に移動することとなる。
【０１４８】
また、フルセルフモードが選択されたＰＯＳ端末１００においては、取引金額に上限を設定する場合がある。例えばー万円を超える取引は、フルセルフモードが選択されたＰＯＳ端末１００では決済することができない。このような場合、Ａｃｔ５６において商品リストを更新した結果、取引金額が所定の金額を超えた場合に、エラー画面を、客側タッチパネル１に表示させる。この場合のエラー画面は、メッセージＭ４が、例えば「セルフレジでは１万円を超える精算はできません。一度精算してください」となる。
【０１４９】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態及びその変形は、発明の範囲に含まれるとともに、特許請求の範囲に記載された発明とその均等の範囲に含まれる。
【符号の説明】
【０１５０】
１…客側タッチパネル、２…固定スキャナ、３…硬貨ユニット、４…紙幣ユニット、５…クレジットカードリーダ、６…近接通信ユニット、７…プリペイドカードリーダ／ライタ、８…レシートプリンタ、８ａ…レシート排出口、９…店員側タッチパネル、１０…サブタッチパネル、１１…キーボード、１２……ハンディスキャナ、１４…プロセッサ、１５…メイン記憶ユニット、１６…補助記憶ユニット、１７…ブザー、１８…通信ユニット、１９…伝送路、２０…自動釣銭機、１００…ＰＯＳ端末、２００…店舗サーバ、３００…通信ネットワーク。
【図１】
2020017160.tif 000003
【図２】
2020017160.tif 000004
【図３】
2020017160.tif 000005
【図４】
2020017160.tif 000006
【図５】
2020017160.tif 000007
【図６】
2020017160.tif 000008
【図７】
2020017160.tif 000009
【図８】
2020017160.tif 000010
【図９】
2020017160.tif 000011
【図１０】
2020017160.tif 000012
【図１１】
2020017160.tif 000013
【図１２】
2020017160.tif 000014
【図１３】
2020017160.tif 000015
【図１４】
2020017160.tif 000016
【図１５】
2020017160.tif 000017
【図１６】
2020017160.tif 000018